(57)【要約】【課題】蛍光灯の芯線のはんだ付けが不要であり、蛍光灯を着脱する際の蛍光灯の破損を防止でき、全体の高さを低くできる蛍光灯用コネクタを提供する。【解決手段】蛍光灯がセットされるハウジング４０と、ハウジング４０に取り付けられ、蛍光灯の芯線Ｋｒと接触する端子３０と、ハウジング４０に軸支され、蛍光灯をハウジング４０にセットするときのスタンバイ状態と、セットした蛍光灯を保持する保持状態とに回動可能なアクチュエータ５０とを備え、アクチュエータ５０が、一端に形成された操作部５２と、他端に形成された押圧部５４と、操作部５２と押圧部５４との間に形成されハウジング４０に軸支された支承部５１とを有し、シーソーの如く揺動可能にハウジング４０に装着され、端子３０が、アクチュエータ５０をスタンバイ状態から保持状態に回動させたとき押圧部５４に押される被押圧部３３と、被押圧部３３が押圧部５４に押されるに伴って蛍光灯の芯線Ｋｒに押し付けられる接触部３２とを有する。【選択図】図３
2009259496.tif 000002
【特許請求の範囲】
【請求項１】
バックライトとしての蛍光灯がセットされるハウジングと、
該ハウジングに取り付けられ、上記蛍光灯の芯線と接触する端子と、
上記ハウジングに軸支され、上記蛍光灯を上記ハウジングにセットするときのスタンバイ状態と、セットした蛍光灯を保持する保持状態とに回動可能なアクチュエータとを備え、
該アクチュエータが、その一端に形成された操作部と、他端に形成された押圧部と、これら操作部と押圧部との間に形成され上記ハウジングに軸支された支承部とを有し、シーソーの如く揺動可能に上記ハウジングに装着され、
上記端子が、上記アクチュエータを上記スタンバイ状態から上記保持状態に回動させたとき上記押圧部に押される被押圧部と、該被押圧部が上記押圧部に押されるに伴って上記蛍光灯の芯線に押し付けられる接触部とを有する
ことを特徴とする蛍光灯用コネクタ。
【請求項２】
上記アクチュエータのスタンバイ状態は、上記押圧部が上記支承部よりも低く且つ上記操作部が上記支承部よりも高く、上記アクチュエータが上記ハウジングに対して傾けられた状態であり、
上記アクチュエータの保持状態は、上記押圧部及び上記操作部が上記支承部と同じ高さとなり、上記アクチュエータが上記ハウジングに対して平行な状態である
請求項１に記載の蛍光灯用コネクタ。
【請求項３】
上記端子が、上記被押圧部を左右一対、上記接触部を左右一対夫々有し、それら接触部同士の間に上記蛍光灯の芯線が位置付けられ、
上記アクチュエータが、上記被押圧部を挟むように配置された左右一対の脚部を有し、それら脚部に上記押圧部が夫々設けられ、
上記アクチュエータを上記スタンバイ状態から上記保持状態に回動させたとき、上記押圧部が上記被押圧部を押し、上記芯線が上記接触部で挟持される
請求項１又は２に記載の蛍光灯用コネクタ。
【発明の詳細な説明】
【技術分野】
【０００１】
本発明は、液晶ディスプレイのバックライトとして用いられる蛍光灯が取り付けられる蛍光灯用コネクタに係り、特に、コンパクト化を図った蛍光灯用コネクタに関する。
【背景技術】
【０００２】
例えば、液晶テレビのディスプレイの背面にあってそこを照射するバックライトとしての蛍光灯は、その直径が２．６乃至５．０ｍｍと言った極細のもので、多数本、ディスプレイに近接して平行に配設されている。そして、この蛍光灯が電力の供給を受けるためにそこから外部に引き出されているリード線（以下、芯線）は、従来、電源に連なる電源線、基板等に、直接、はんだ付けされていた。しかし、このような芯線のはんだ付け工程は、極めて煩雑で、液晶ディスプレイの生産性、品質を阻害する。
【０００３】
そこで、蛍光灯の芯線のはんだ付け作業を省略した発明として、特許文献１に記載された発明が知られている。この発明は、蛍光灯の端部にその芯線を覆うようにカバー部材を装着して蛍光灯・カバー部材組立体（以下、蛍光灯アッシー）とし、この蛍光灯アッシーをランプ支持部材（以下、コネクタ）に挿入することで、蛍光灯の芯線をコネクタの端子に接触させるものである。これにより、コネクタの端子と蛍光灯の芯線とのはんだ付けが不要となる。
【０００４】
蛍光灯アッシーをコネクタに挿入して、蛍光灯の芯線をコネクタの端子に接触させた後、その端子に形成されたバネと蛍光灯アッシーとの間に、保持板及びインバータ基板を圧入する。保持板により蛍光灯アッシーが支持され、インバータ基板により蛍光灯が給電される。
【０００５】
【特許文献１】特開２００４−３３５２２７号公報
【発明の開示】
【発明が解決しようとする課題】
【０００６】
ところで、コネクタに蛍光灯アッシーを挿入し、蛍光灯の芯線をコネクタの端子に接触させる作業は、端子が蛍光灯アッシーで覆われた状態（作業者にとってブラインド状態）での作業となるため、作業性が良くない。そのため、引っ掛かる等して挿入抵抗が増し、上述のように極細（直径が２．６乃至５．０ｍｍ）の蛍光灯に曲げが加わり、破損する可能性がある。特に、蛍光灯が大型液晶テレビ用に長尺となった場合、破損の可能性が高まる。
【０００７】
コネクタに蛍光灯アッシーを挿入した後、その蛍光灯アッシーに保持板及び電源プレートを支持させているので、検査工程で蛍光灯の不点灯が発見され、その交換が必要となった場合、保持板及び電源プレートを取り外さなければ、蛍光灯アッシーをコネクタから引き抜くことができず、交換作業性が良くない。また、蛍光灯アッシーをコネクタから引き抜く際、その引抜抵抗により蛍光灯が曲がり、破損する可能性がある。
【０００８】
コネクタに挿入された蛍光灯アッシーに、保持板及びインバータ基板を支持させているので、コネクタ、蛍光灯アッシー、保持板及びインバータ基板が積層された構造となる。このため、全体の高さ（液晶ディスプレイの厚さ方向の寸法）が大きくならざるを得ず、液晶ディスプレイの薄型化に適しているとはいえない。
【０００９】
以上の事情を考慮して創案された本発明の目的は、蛍光灯の芯線のはんだ付けが不要である蛍光灯用コネクタにおいて、蛍光灯を着脱する際の蛍光灯の破損を防止でき、全体の高さを低くできる蛍光灯用コネクタを提供することにある。
【課題を解決するための手段】
【００１０】
上記目的を達成するために本発明に係る蛍光灯用コネクタは、バックライトとしての蛍光灯がセットされるハウジングと、該ハウジングに取り付けられ、上記蛍光灯の芯線と接触する端子と、上記ハウジングに軸支され、上記蛍光灯を上記ハウジングにセットするときのスタンバイ状態と、セットした蛍光灯を保持する保持状態とに回動可能なアクチュエータとを備え、該アクチュエータが、その一端に形成された操作部と、他端に形成された押圧部と、これら操作部と押圧部との間に形成され上記ハウジングに軸支された支承部とを有し、シーソーの如く揺動可能に上記ハウジングに装着され、上記端子が、上記アクチュエータを上記スタンバイ状態から上記保持状態に回動させたとき上記押圧部に押される被押圧部と、該被押圧部が上記押圧部に押されるに伴って上記蛍光灯の芯線に押し付けられる接触部とを有するものである。
【００１１】
上記アクチュエータのスタンバイ状態は、上記押圧部が上記支承部よりも低く且つ上記操作部が上記支承部よりも高く、上記アクチュエータが上記ハウジングに対して傾けられた状態であり、上記アクチュエータの保持状態は、上記押圧部及び上記操作部が上記支承部と同じ高さとなり、上記アクチュエータが上記ハウジングに対して平行な状態であることが好ましい。
【００１２】
上記端子が、上記被押圧部を左右一対、上記接触部を左右一対夫々有し、それら接触部同士の間に上記蛍光灯の芯線が位置付けられ、上記アクチュエータが、上記被押圧部を挟むように配置された左右一対の脚部を有し、それら脚部に上記押圧部が夫々設けられ、上記アクチュエータを上記スタンバイ状態から上記保持状態に回動させたとき、上記押圧部が上記被押圧部を押し、上記芯線が上記接触部で挟持されることが好ましい。
【発明の効果】
【００１３】
本発明によれば、蛍光灯の芯線のはんだ付けが不要である蛍光灯用コネクタにおいて、蛍光灯を着脱する際の蛍光灯の破損を防止でき、全体の高さを低くできる。この結果、液晶ディスプレイの生産性を向上でき、液晶ディスプレイの薄型化を推進できる。
【発明を実施するための最良の形態】
【００１４】
以下、本発明の好適実施形態を添付図面に基づいて説明する。
【００１５】
図１は本実施形態に係る蛍光灯用コネクタ（以下、コネクタ）をスタンバイ状態とした斜視図、図２は上記コネクタを保持状態とした斜視図、図３は上記コネクタの分解斜視図である。
【００１６】
コネクタ２０は、液晶ディスプレイの背面に配置された図示しない基板に、間隔を隔てて一対、実装される。それらコネクタ２０の間には、バックライト用の蛍光灯が架け渡され、蛍光灯の両端の芯線Ｋｒ（図７参照）が、各々、コネクタ２０の端子３０に圧接、導通される。図１〜図３にて、２０はコネクタ、３０はコネクタ２０の端子、４０はコネクタ２０のハウジング、５０はハウジング４０にシーソーの如く揺動可能に取り付けられたアクチュエータ、６０はコネクタ２０に内蔵されたコンデンサである。
【００１７】
ハウジング４０は、略直方体状に形成された本体４０ａと、本体４０ａの前部（蛍光灯が位置付けされる側を便宜的に前と呼ぶ）に設けられた前壁４１と、本体４０ａの両側部に夫々設けられた横壁４２と、本体４０ａの後部に設けられた後壁４３とを有する。
【００１８】
前壁４１の中央には、その上端から中程にかけて、蛍光灯の芯線Ｋｒが挿通されるスリット４４が形成されている。横壁４２は、前後方向に夫々間隔が隔てられた、前部横壁４２ａ、中部横壁４２ｂ、後部横壁４２ｃから構成され、中部横壁４２ｂの内面には、アクチュエータ５０の支承部５１を回動可能に支承する軸受４６が凹設され、後部横壁４２ｃの内面には、アクチュエータ５０の被ロック部５５が係脱されるロック部４９が凸設されている。
【００１９】
本体４０ａの上面の中央には、前壁４１、横壁４２、後壁４３から夫々間隔を隔てて、中央ブロック４０ｂが形成されている。中央ブロック４０ｂの上面には、蛍光灯の芯線Ｋｒが挿通される溝状の挿通部４８が、スリット４４と一直線上に並べて形成されている。中央ブロック４０ｂと前壁４１との間には、端子３０の収容室４７が形成され、中央ブロック４０ｂと横壁４２（前部横壁４２ａ、中部横壁４２ｂ、後部横壁４２ｃ）との間には、アクチュエータ５０の脚部５３が挿入される間隔Ｘが形成されている。また、後部横壁４２ｃと後壁４３との間には、アクチュエータ５０の被ロック部５５が形成された垂直壁５６が挿入される間隔Ｙが形成されている。これら間隔Ｘ、Ｙは、アクチュエータ５０の収容室Ｚを構成する。
【００２０】
アクチュエータ５０は、一端に作業者により操作される操作部５２が、他端に端子３０の被押圧部３３を押圧する押圧部５４が形成されており、これら操作部５２と押圧部５４との間には、ハウジング４０に軸支される支承部５１が形成されている。アクチュエータ５０は、蛍光灯をハウジング４０にセットするときのスタンバイ状態（図１、図７参照）と、セットした蛍光灯を保持する保持状態（図２、図８参照）との間で、シーソーの如く揺動可能にハウジング４０に装着される。
【００２１】
アクチュエータ５０のスタンバイ状態は、図１、図７に示すように、押圧部５４が支承部５１よりも低く且つ操作部５２が支承部５１よりも高く、アクチュエータ５０がハウジング４０に対して前方に傾けられた状態である。アクチュエータ５０の保持状態は、図２、図８に示すように、押圧部５４及び操作部５２が支承部５１と同じ高さとなり、アクチュエータ５０がハウジング４０に対して平行な状態である。
【００２２】
アクチュエータ５０を保持状態とすると、アクチュエータ５０の垂直壁５６が上記間隔Ｙに収容され、脚部５３が上記間隔Ｘに収容され、脚部５３の間に中央ブロック４０ｂが挟まれた状態となり、アクチュエータ５０の上面がハウジング４０の上端面と面一となるか又はこの上端面よりも低くなる。これにより、コネクタ２０の低背化が達成される。上記間隔Ｘ、Ｙは、上述のように、アクチュエータ５０の収容室Ｚを構成する。
【００２３】
アクチュエータ５０について主に図３を用いて詳述する。
【００２４】
アクチュエータ５０は、既述のように、操作部５２、押圧部５４、支承部５１を有する。
【００２５】
操作部５２は、蛍光灯が位置付けされる側とは反対側に位置し、作業者によって上下に操作される。押圧部５４は、蛍光灯が位置付けされる側に位置し、アクチュエータ５０を保持状態に回動させたとき、端子３０の被押圧部３３を押圧し、アクチュエータ５０をスタンバイ状態に回動させたとき、被押圧部３３の押圧を解放する。支承部５１は、ハウジング４０の軸受４６に軸支される支持軸からなる。
【００２６】
操作部５２は、ハウジング４０の後壁４３を覆うように形成された水平板からなる。水平板の下面両端には、垂直壁５６が夫々下方に延出して形成され、垂直壁５６の外面には、ハウジング４０のロック部４９と係脱する被ロック部５５が形成されている。被ロック部５５は、略三角形状に形成された凸部からなり、アクチュエータ５０をスタンバイ状態又は保持状態に回動させるに応じて、その上縁５５ａと下縁５５ｂとがロック部４９に係脱され、アクチュエータ５０をスタンバイ状態又は保持状態に維持する。
【００２７】
操作部５２を成す水平板の左右両端には、上記垂直壁５６に接続されるような上下方向の厚みを有する一対の脚部５３が、前方に向けて延出されている。脚部５３の先端の内側部には、下部に上記押圧部５４が、上部に逃げ部５７が、夫々設けられている。押圧部５４は、脚部５３の先端に形成された厚肉部からなり、図８に示すようにアクチュエータ５０を保持状態に回動させたとき、端子３０の被押圧部３３を押圧する。逃げ部５７は、脚部５３の先端に形成された傾斜部及び薄肉部からなり、図７に示すようにアクチュエータ５０をスタンバイ状態に回動させたとき、端子３０の被押圧部３３を上記押圧から解放する。
【００２８】
端子３０について主に図３を用いて詳述する。
【００２９】
端子３０は、断面コ字状の基部３４と、基部３４の下部に設けられ、基板にはんだ付けされるリード部３１と、基部３４の左右から上方に延出された一対のアーム部３５と、アーム部３５に繋げて外方にＵターンして形成されたＵターン部３６とを有する。左右のアーム部３５の内方には、図７、図８に示すように、蛍光灯の芯線Ｋｒが配置され、アーム部３５の内側部には、芯線Ｋｒと接触する接触部３２が設けられている。
【００３０】
Ｕターン部３６は、アーム部３５に繋げて形成された頂部３７と、頂部３７から下方に向かって外側に傾斜された第１傾斜部３８と、第１傾斜部３８から下方に向かって内側に傾斜された第２傾斜部３９とを有する。第１傾斜部３８と第２傾斜部３９とを接続する山型の部分が、アクチュエータ５０の押圧部５４に押圧され得る被押圧部３３である。被押圧部３３は、図８に示すように、アクチュエータ５０を保持状態に回動したとき、押圧部５４により内方に押圧され、図７に示すように、アクチュエータ５０をスタンバイ状態に回動したとき、逃げ部５７が対向するため上記押圧から解放される。
【００３１】
詳しくは、図７に示すように、アクチュエータ５０をスタンバイ状態に回動させると、脚部５３の先端が上記収容室Ｚ内の下部に移動され、端子３０の被押圧部３３にはアクチュエータ５０の逃げ部５７が対向し、アクチュエータ５０の押圧部５４は端子３０の第２傾斜部３９と対向する状態となる。よって、被押圧部３３はアクチュエータ５０から殆ど押圧力を受けず、左右の端子３０は殆ど撓まずに略自然状態となる。自然状態の左右の端子３０の接触部３２の間隔は、上方に向けて僅かに開き、且つ蛍光灯の芯線Ｋｒの直径と同等或いは同直径よりも大きい状態となる。よって、芯線Ｋｒを左右の接触部３２の間に容易に進入させ得る。
【００３２】
図８に示すように、アクチュエータ５０を保持状態に回動させると、脚部５３の先端が上記収容室Ｚ内の上部に移動され、アクチュエータ５０の押圧部５４が端子３０の被押圧部３３に対向して被押圧部３３を内方に押圧する。すると、左右の端子３０の接触部３２の間隔が蛍光灯の芯線Ｋｒの直径よりも小さくなり、芯線Ｋｒが端子３０に挟持され得る。
【００３３】
端子３０は、ハウジング４０にその底部側から上記収容室４７内に挿入され、ハウジング４０内に形成された圧入溝９０（図４、図５参照）に圧入される。圧入された端子３０の接触部３２は、図３に示す中央ブロック４０ｂと前壁４１との間の収容室４７内にて、スリット４４及び挿通部４８の位置に合わせて位置付けられる。
【００３４】
図４は、コンデンサ６０が取り外されたコネクタ２０を底面側から見た斜視図、図５は、コンデンサ６０が取り付けられたコネクタ２０を底面側から見た斜視図、図６は、図２のVI−VI線断面図である。
【００３５】
コンデンサ６０は、背の低い直方体状に形成された本体６２と、本体６２の両側面６３に夫々設けられたリード部６１とを有する。リード部６１は、本体６２から水平に延出された水平部６４と、水平部６４から基板の方向に延出された垂下部６５と、垂下部６５から水平に延出され基板にはんだ付けされる実装部６６とを有し、断面が略クランク状に形成されている。
【００３６】
ハウジング４０の本体４０ａの底面には、コンデンサ６０を収容するため、略直方体状に窪まされた収容部７０が形成されていると共に、その収容部７０の両脇の四隅に、溝状の装着部７１が形成されている。装着部７１には、収容部７０に収容されたコンデンサ６０を保持する保持具８０が、圧入される。
【００３７】
保持具８０は、コンデンサ６０の側面６３とリード部６１の垂下部６５との間に遊嵌される細長い板体からなる基部８２と、基部８２の長手方向両端部に直角に屈曲して形成され上記装着部７１に圧入される圧入部８３とを有する。基部８２の板縁は、リード部６１の水平部６４に当接する当接部８１となる。
【００３８】
コンデンサ６０のリード部６１は、ハウジング４０の本体４０ａの底面に形成された切欠７２に収容されている。すなわち、ハウジング４０の本体４０ａの底面には、収容部７０の両側に、切欠７２が形成されており、切欠７２には、コンデンサ６０のリード部６１が位置付けられている。
【００３９】
図６に示すように、切欠７２の天井７３と、リード部６１の水平部６４の上面６７との間には、空隙Ｚ１が設けられ、コンデンサ６０の頂面６８と、収容部７０の天井７４との間には、空隙Ｚ１よりも小さい空隙Ｚ２が設けられている。また、保持具８０の基部８２の内面と、コンデンサ６０の側面６３との間には、空隙Ｚ３が設けられ、コンデンサ６０の側面６３と、収容部７０の側面７５との間には、空隙Ｚ３よりも小さい空隙Ｚ４（空隙Ｚ２と同等）が設けられている。
【００４０】
これにより、コネクタ６０は、ハウジング４０にフローティング支持され、空隙Ｚ２の範囲で上下方向に移動可能となり、空隙Ｚ４の範囲で前後左右方向に移動可能となる。また、基板に、はんだペーストを塗布し、そこにコネクタ２０を載置して軽く押さえると、収容部７０の天井７４がコンデンサ６０の頂面６８を押圧するので、コンデンサ６０が収容部７０内にて傾くことが防止され、リード部６１の実装部６６をはんだペーストに的確に密着させることができる。よって、実装部６６の浮き上がりが防止され、確実なはんだ付けが達成される。
【００４１】
本実施形態の作用を述べる。
【００４２】
基板に実装したコネクタ２０に蛍光灯をセットするときには、図１、図７に示すように、アクチュエータ５０の操作部５２を引き上げ、アクチュエータ５０を支承部５１を中心にシーソーの如く回動させ押圧部５４を下降させる。このアクチュエータ５０のスタンバイ状態（傾斜姿勢）は、アクチュエータ５０の被ロック部５５の下縁５５ｂ（図３参照）がハウジング４０のロック部４９に載った状態となることで、保持される。
【００４３】
アクチュエータ５０をスタンバイ状態とした後、蛍光灯の芯線Ｋｒをハウジング４０のスリット４４及び挿通部４８に進入させ、芯線Ｋｒを一対の端子３０のアーム部の間に位置付ける。このとき、押圧部５４は被押圧部３３に接していないので、一対の端子３０のアーム部３５は僅かに上開きの状態となっており、且つ対向する接触部３２の間には芯線Ｋｒが進入するための十分な隙間（芯線Ｋｒの直径と同等或いは直径以上の隙間）があって、芯線Ｋｒは殆ど無抵抗で挿通、位置付けされる。この結果、セットされる蛍光灯に負荷が加わることはなく、その破損が防止される。
【００４４】
芯線Ｋｒをセットした後、図２、図８に示すように、アクチュエータ５０の操作部５２を下方に押し込み、アクチュエータ５０を支承部５１を中心に逆方向に回動させる。すると、押圧部５４が上昇し、アクチュエータ５０の押圧部５４が端子３０の被押圧部３３を押圧し、端子３０が弾性変形して接触部３２の隙間が狭まり、芯線Ｋｒが接触部３２に挟持される。このアクチュエータ５０の保持状態（水平姿勢）は、アクチュエータ５０の被ロック部５５の上縁５５ａ（図３参照）がハウジング４０のロック部４９に係合した状態となることで所定の力で保持される。よって、アクチュエータ５０が不意に回動されてスタンバイ状態に戻ることが防止される。
【００４５】
ここで、スタンバイ状態のアクチュエータ５０を保持状態に回動させる途中で、アクチュエータ５０の被ロック部５５がハウジング４０のロック部４９に乗り上がり、ロック部４９が設けられた一対の後部横壁４２ｃが、その上端が外開きとなるように撓むが、アクチュエータ５０の支承部５１を軸支する軸受４６が後部横壁４２ｃから切り離された中部横壁４２ｂに形成されているので、後部横壁４２ｃの撓みが中部横壁４２ｂに影響を与えることはなく、中部横壁４２ｂは上端が外開きとならない。よって、支承部５１が軸受４６から外れることが防止される。
【００４６】
蛍光灯をコネクタ２０から取り出す場合には、アクチュエータ５０の操作部５２を引き上げてシーソーの如く押圧部５４を押し下げ、アクチュエータ５０をスタンバイ状態に戻す。これにより、端子３０の被押圧部３３が押圧から解放され、接触部３２による芯線Ｋｒの挟持が解除されるので、芯線Ｋｒはフリーとなり、蛍光灯を破損なく簡単にコネクタ２０から取り外せる。
【００４７】
上述のように、本実施形態に係るコネクタ２０においては、アクチュエータ５０の略中央部に支承部５１を設け、支承部５１をハウジング４０の上部中央に配設した軸受４６で支承するようにしたから、アクチュエータ５０は、シーソーの如く揺動可能となって、その揺動に伴う操作部５２と押圧部５４との動作方向が逆となる。そして、蛍光灯の芯線Ｋｒは、操作部５２とは反対側の押圧部５４の側に配置されたスリット４４及び挿通部４８に進入されている。
【００４８】
よって、アクチュエータ５０の押圧部５４を端子３０の被押圧部３３に押し付け、蛍光灯の芯線Ｋｒを端子３０の接触部３２で挟持する際には、作業者は蛍光灯の存在しない側に位置する操作部５２を押し下げることになる。この結果、仮に、指を滑らせるようなことがあっても、その下には蛍光灯は存在せず、蛍光灯に指を衝突させてそれを壊したり、作業者が怪我をするようなことが生じない。
【００４９】
また、このアクチュエータ５０は、前述の如く一対の脚部５３を有していて、図１に示すスタンバイ状態であっても図２に示す保持状態であっても、一対の脚部５３の間から端子３０及び挿通部４８が露出した状態となる。よって、芯線Ｋｒを挿通部４８及び端子３０の間に進入させる際に狙いが定まり易く、蛍光灯の装着に極めて都合が良い。従って、液晶ディスプレイの生産性が向上する。
【００５０】
アクチュエータ５０を保持状態としたとき、アクチュエータ５０の脚部５３及び垂直壁５６がハウジング４０の収容室Ｚに収容され、アクチュエータ５０の上面がハウジング４０の上端面と面一となるか又は同上端面よりも低くなる。この結果、アクチュエータ５０の厚さがコネクタ２０の厚さに加算されなくなるので、コネクタ２０の低背化が達成される。よって、液晶ディスプレイの薄型化が推進できる。
【００５１】
アクチュエータ５０は、その略中央に支承部５１（支持軸）が配設されているので、図１に示すスタンバイ状態と図２に示す保持状態とにおける操作部５２の端部の高さ差（開閉動ストローク）が、前記支承部５１がアクチュエータ５０の端部にある場合に比べて小さくなる。よって、蛍光灯の取り付け、取り外しの作業性が向上し、液晶ディスプレイの生産性が向上する。
【００５２】
また、このコネクタ２０に蛍光灯を装着するには、蛍光灯の芯線Ｋｒをコネクタ２０のスリット４４及び挿通部４８にセットしてアクチュエータ５０を保持状態に回動させるだけで良く、従来のように芯線Ｋｒの基板へのはんだ付け作業を要しない。また、蛍光灯を交換する場合には、アクチュエータ５０をスタンバイ状態に回動させれば容易に蛍光灯を引き抜くことができ、交換に当たって何の煩わしさもない。
【００５３】
以上述べたように、本実施形態に係るコネクタ２０によれば、蛍光灯の芯線Ｋｒのはんだ付けが不要であり、蛍光灯を着脱する際の蛍光灯の破損を防止でき、全体の高さを低くできる。よって、液晶ディスプレイの生産性を向上でき、液晶ディスプレイの薄型化を推進できる。
【００５４】
本発明は、上記実施形態に限定されるものではない。
【００５５】
上記実施形態ではアクチュエータ５０の支承部５１を凸状の軸とし、ハウジング４０の軸受４６を凹状としたが、凹凸の関係は逆でもよい。軸受４６は、ハウジング４０の中部横壁４２ｂに設けた例を示したが、前部横壁４２ａに設けても良い。
【００５６】
また、コンデンサ６０を収容する収容部７０は、コンデンサ６０が収容できれば足り、凹部形状であることを要しない。保持具８０が圧入されるようにハウジング４０に設けた装着部７１は、保持具８０の圧入部８３が圧入できれば足り、溝状でなくても良い。芯線Ｋｒが進入される挿通部４８は、芯線Ｋｒが挿通可能であれば足り、溝状であることを要しない。
【図面の簡単な説明】
【００５７】
【図１】本発明の一実施形態に係る蛍光灯用コネクタをスタンバイ状態とした斜視図である。
【図２】図１のコネクタを保持状態とした斜視図である。
【図３】図１のコネクタの分解斜視図である。
【図４】図１のコネクタをコンデンサが取り外された状態で底面側から見た斜視図である。
【図５】図１のコネクタをコンデンサが取り付けられた状態で底面側から見た斜視図である。
【図６】図２のVI−VI線断面図である。
【図７】図１のVII−VII線断面図である。
【図８】図２のVIII−VIII線断面図である。
【符号の説明】
【００５８】
２０  蛍光灯用コネクタ
３０  端子
３２  接触部
３３  被押圧部
４０  ハウジング
５０  アクチュエータ
５１  支承部
５２  操作部
５３  脚部
５４  押圧部
Ｋｒ  芯線
【図１】
2009259496.tif 000003
【図２】
2009259496.tif 000004
【図３】
2009259496.tif 000005
【図４】
2009259496.tif 000006
【図５】
2009259496.tif 000007
【図６】
2009259496.tif 000008
【図７】
2009259496.tif 000009
【図８】
2009259496.tif 000010